(57)【要約】【課題】連結ピンが嵌合固着されている最外の外側リンクプレートがリンク中央部で強度低下が生じないようにすることができ、回転疲労強度の向上を図ることができる両面噛合い型サイレントチェーンを提供することを目的とする。【解決手段】両面噛合い型サイレントチェーン１は、リンクプレートが、チェーンの表裏両面にリンク歯５が突出するようにして連結ピン１１で連結されて形成される。チェーン内側寄りには、一方表面側にリンク歯５が突出するように内側リンクプレート２が設けられ、両外側寄りには、他方表面側にリンク歯５が突出するように外側リンクプレート３，４が設けられる。最外の外側リンクプレート４は、他のリンクプレート２，３に比較して、リンク中央部１０の背面高さＨ＋ｈが高く形成され、その結果、リンク中央部の強度が向上する。【選択図】図２
2006002811.tif 000002
【特許請求の範囲】
【請求項１】
一対のリンク歯及び一対のピン孔を有し、該リンク歯が形成されている側の反対側に平坦な背面を有するリンクプレートが、チェーンの表裏両面にリンク歯が突出するようにして指組状に組み合わされ連結ピンで無端状に連結されてなる両面噛合い型サイレントチェーンにおいて、
チェーン幅方向の内側寄りには、チェーンの一方表面側にリンク歯が突出するように内側リンクプレートが複数枚設けられ、チェーン幅方向の両外側寄りには、チェーンの他方表面側にリンク歯が突出するように外側リンクプレートが複数枚ずつ設けられ、
前記チェーン幅方向の両外側寄りに設けられている最外の外側リンクプレートのピン孔には前記連結ピンが嵌合固着され、該最外の外側リンクプレートは、他の外側リンクプレート及び内側リンクプレートに比較して、リンクプレートの背面高さが高く形成されていることを特徴とする両面噛合い型サイレントチェーン。
【請求項２】
前記最外の外側リンクプレート及び他の外側リンクプレートが内側リンクプレートに比較して、リンクプレートの背面高さが高く形成されていることを特徴とする請求項１に記載の両面噛合い型サイレントチェーン。
【請求項３】
前記最外の外側リンクプレート及び他の外側リンクプレートは、内側リンクプレートに比較して、リンクプレートの背面高さが高く形成され、リンク歯が外側歯面当りであると共に、外側歯面着座型のリンクプレートであることを特徴とする請求項１に記載の両面噛合い型サイレントチェーン。
【発明の詳細な説明】
【技術分野】
【０００１】
本発明は、一対のリンク歯及び一対のピン孔を有し、該リンク歯が形成されている側の反対側に平坦な背面を有するリンクプレートが、チェーンの表裏両面にリンク歯が突出するようにして指組状に組み合わされ連結ピンで無端状に連結されてなる両面噛合い型サイレントチェーンに関する。
【背景技術】
【０００２】
従来、スプロケットに噛合して動力を伝達するようにしたチェーンとして、チェーンの一方表面側に突出しているリンク歯がスプロケットに噛合すると共に、他方表面側に突出しているリンク歯が他のスプロケットに噛合して、両スプロケットを異なる方向に回転させるようにした両面噛合い型サイレントチェーンが知られている（例えば、特許文献１〜３参照。）。
【０００３】
両面噛み合い型サイレントチェーンは、例えば、自動車エンジンのタイミングチェーンとして使用される。両面噛み合い型サイレントチェーンは、エンジンのクランク軸に設けられたスプロケット、吸気弁用被動カムスプロケット及び排気弁用被動カムスプロケットに捲回された場合、チェーンの内周表面側のリンク歯がこれら各スプロケットの歯と噛合して、これらスプロケットは全て同一方向に駆動回転する。また、この捲回されたチェーンの外側にオイルポンプ等の補機軸のスプロケットが設けられ、チェーンの外表面側で補機軸のスプロケットが噛み合う場合には、補機軸のスプロケットはクランク軸のスプロケットと逆方向に回転する。
【０００４】
図７、図８に、従来の両面噛合い型のサイレントチェーンの一例を示す。両面噛合い型サイレントチェーン５１は、一対のリンク歯５２及び一対のピン孔５３を有するリンクプレート５５，５６が、交互に指組状に組み合わされて連結ピン５７により無端状に連結され、チェーンの内表面側及び外表面側にリンク歯５２が突出するようにしたものである。また、このリンクプレート５５，５６は、リンク歯５２が形成された側と反対側の背面５４が平坦面に形成されている。両面噛合い型サイレントチェーン５１のチェーンの内表面側、外表面側という場合、例えば、無端状のチェーンがエンジンのクランク軸スプロケット、２つのカムスプロケットに捲回されて循環走行するとき、これら各スプロケットに接触している側がチェーンの内表面側であり、また、その裏面側がチェーンの外表面側である。
【０００５】
この両面噛合い型サイレントチェーン５１の幅方向内側寄り、すなわち中央寄りには、チェーンの内表面側にリンク歯５２が突出するように、内側リンクプレート５５が複数枚設けられ、チェーンの幅方向の両外側寄りには、チェーンの外表面側にリンク歯５２が突出するように外側リンクプレート５６が２枚ずつ設けられている。そして、この外側リンクプレート５６のうちの両最外の外側リンクプレート５６のピン孔５３には連結ピン５７が嵌合固着されている。
【０００６】
図９、図１０に、両面噛合い型サイレントチェーン５１の幅方向外側寄りで、チェーンの外表面側に突出している外側リンクプレート５６のリンク歯５２とスプロケット歯５９とが噛合う状態が示されている。ここで使用するスプロケットとしては、図１２に一部切欠断面の斜視図として示されているような、両外側に歯５９を有するスプロケット５８が用いられる。このように外側リンクプレート５６のリンク歯５２がスプロケット５８の歯５９と噛合う場合、内側リンクプレート５５がスプロケット歯５９の内側壁面に摺接し、両面噛合い型サイレントチェーン５１が横振れしないようになっている。なお、同図中の符号６０はスプロケットが取付けられる軸である。
【０００７】
図１１に、両面噛合い型サイレントチェーン５１の幅方向の内側寄りで、チェーンの内表面側に突出している内側リンクプレート５５のリンク歯５２と噛み合うスプロケット６１の歯６２とが噛合う状態が示されている。ここで使用するスプロケットとしては、通常のサイレントチェーン用のスプロケットが用いられる。その噛み合い状態の断面図が、図１１に示されている。同図中の符号６２はスプロケット歯、６３はスプロケットが取付けられる軸である。
【特許文献１】特開平１１−１６６６００号公報
【特許文献２】特開平１１−２５７４３９号公報
【特許文献３】実用新案登録第２５５３２０６号公報
【発明の開示】
【発明が解決しようとする課題】
【０００８】
従来の両面噛合い型サイレントチェーン５１は、両最外に設けられている外側リンクプレート５６のピン孔５３に連結ピン５７が嵌合固着されているため、外側リンクプレートがスプロケットに噛合して駆動に用いられる場合、スプロケット歯との噛み合い始めの衝突時に、最外の外側リンクプレート５６のピン孔５３内周部に掛かる応力と、連結ピン５７の嵌合固着によりリンクプレート５６のピン孔５３内周部に生じている引張応力との相乗効果により、両最外の外側リンクプレート５６の強度が一段と低下する、という問題があった。
【０００９】
従来、両面噛合い型サイレントチェーンを構成する内側リンクプレート５５及び外側リンクプレート５６は同じ形状に形成され、リンクプレートの背面高さＨ（リンクプレートの歯底と背面との最短離間距離のこと。図５参照。）が比較的低いため、リンクプレート５５，５６は、一対のリンク歯の歯底近辺から背面に至る部分のリンク中央部が強度的に劣り、特に、連結ピン５７が嵌合固着されている外側リンクプレート５６に負荷が掛かったときリンク中央部の歯底近辺にクラックが入るとさらに強度低下が進行し、チェーンの回転疲労強度が低下する、という問題がある。
【００１０】
また、上記の両面噛合い型サイレントチェーンは、両最外の外側リンクプレート５６にリンク歯を形成したものであるが、この外側リンクプレートの代わりに、リンク歯がないガイドプレートを用いることもある。このようにすると、ガイドプレートに隣接する外側リンクプレート５６のリンク歯が当たる部分のスプロケット歯が摩耗し易くなる、という問題があり、また、この摩耗を抑制するために外側リンクプレート５６の板厚を厚くしたり、外側リンクプレート数を増やすとチェーン幅が広くなりスペース上不利になる、という問題がある。
【００１１】
そこで、本発明は、前述したような従来技術の問題点を解消し、連結ピンが嵌合固着されている最外の外側リンクプレートがリンク中央部で強度低下が生じないようにすることができ、回転疲労強度の向上を図ることができる両面噛合い型サイレントチェーンを提供することを目的とする。
【課題を解決するための手段】
【００１２】
本発明は、両面噛合い型サイレントチェーンを構成する最外の外側リンクプレートのリンク中央部の強度を向上させると、スプロケットとの噛合い開始時にリンク歯とスプロケット歯とが当って負荷が掛かっても歯底にクラックが発生し難くなり、両面噛合い型サイレントチェーンの回転疲労強度の向上が図れるようになる、という構想に基づいて前記課題を解決したものである。
【００１３】
前記構想に基づいて、請求項１に係る本発明は、一対のリンク歯及び一対のピン孔を有し、該リンク歯が形成されている側の反対側に平坦な背面を有するリンクプレートが、チェーンの表裏両面にリンク歯が突出するようにして指組状に組み合わされ連結ピンで無端状に連結されてなる両面噛合い型サイレントチェーンにおいて、チェーン幅方向の内側寄りには、チェーンの一方表面側にリンク歯が突出するように内側リンクプレートが複数枚設けられ、チェーン幅方向の両外側寄りには、チェーンの他方表面側にリンク歯が突出するように外側リンクプレートが複数枚ずつ設けられ、前記チェーン幅方向の両外側寄りに設けられている最外の外側リンクプレートのピン孔には前記連結ピンが嵌合固着され、該最外の外側リンクプレートは、他の外側リンクプレート及び内側リンクプレートに比較して、リンクプレートの背面高さが高く形成されている両面噛合い型サイレントチェーン、という構成としたものである。ここで、リンクプレートの背面高さとは、一対のリンク歯の歯底と背面との最短離間距離のことである。
【００１４】
請求項２に係る本発明は、前記請求項１記載の両面噛合い型サイレントチェーンにおいて、前記最外の外側リンクプレート及び他の外側リンクプレートが内側リンクプレートに比較して、リンクプレートの背面高さが高く形成されている、という構成としたものである。
【００１５】
請求項３に係る本発明は、前記請求項１記載の両面噛合い型サイレントチェーンにおいて、前記最外の外側リンクプレート及び他の外側リンクプレートは、内側リンクプレートに比較して、リンクプレートの背面高さが高く形成され、リンク歯が外側歯面当りであると共に、外側歯面着座型のリンクプレートである、という構成としたものである。ここで、「外側歯面当り」とは、サイレントチェーンとスプロケットとの噛合い開始時に、リンク歯の外側歯面がスプロケット歯の歯面に最初に当る状態になっているということであり、「外側歯面着座型リンクプレート」とは、リンク歯とスプロケット歯との相対移動がない状態で、リンクプレートのリンク歯の両外側歯面のみがスプロケット歯に接触して完全に噛合って着座するリンクプレートのことである。
【発明の効果】
【００１６】
請求項１に係る本発明によれば、両面噛合い型サイレントチェーンが、チェーン幅方向の内側寄りには、チェーンの一方表面側にリンク歯が突出するように内側リンクプレートが複数枚設けられ、チェーン幅方向の両外側寄りには、チェーンの他方表面側にリンク歯が突出するように外側リンクプレートが複数枚ずつ設けられ、前記チェーン幅方向の両外側寄りに設けられている最外の外側リンクプレートのピン孔には前記連結ピンが嵌合固着され、該最外の外側リンクプレートは、他の外側リンクプレート及び内側リンクプレートに比較して、リンクプレートの背面高さが高く形成されているので、歯底近辺のリンク中央部にクラックが発生し難くなり、最外の外側リンクプレートの疲労強度を向上させることができ、スプロケットとの噛合い時における最外の外側リンクプレートの変形を防止することができる。また、最外の外側リンクプレートの疲労強度向上により、両面噛合い型サイレントチェーンの回転疲労強度の向上を図ることができる。
【００１７】
請求項２に係る本発明によれば、最外の外側リンクプレート及び外側リンクプレートが内側リンクプレートに比較して、リンクプレートの背面高さが高く形成されているので、これらリンクプレートの強度を上げることができ、その結果、両面噛合い型サイレントチェーンの回転疲労強度の向上を図ることができる。
【００１８】
請求項３に係る本発明によれば、前記最外の外側リンクプレート及び他の外側リンクプレートは、内側リンクプレートに比較して、リンクプレートの背面高さが高く形成され、リンク歯が外側歯面当りであると共に、外側歯面着座型のリンクプレートであるので、チェーンとスプロケットとの噛合い開始時に、最外の外側リンクプレート及び他の外側リンクプレートの各リンク歯の外側歯面がスプロケット歯の歯面に最初に当り、内側歯面がスプロケット歯に接触せず、リンク中央部に掛かる負荷を軽減でき、これらリンクプレートの疲労強度向上を図ることができ、外側歯面着座型リンクプレートとすることにより、両面噛合い型サイレントチェーンの回転疲労強度のさらなる向上を図ることができる。
【発明を実施するための最良の形態】
【００１９】
本発明の実施例１を図１、図２、図５、図６に基づいて説明する。図１は両面噛合い型サイレントチェーンの一部を示す平面図、図２は両面噛合い型サイレントチェーンの要部を分解して示した側面図であり、図５は外側歯面着座型リンクプレートの説明図、図６は内側歯面着座型リンクプレートの説明図である。
【００２０】
両面噛合い型サイレントチェーンは、以下詳述するが、リンク歯がチェーンの表裏両面側に突出するようにリンクプレートが配置され、チェーン長手方向に相互に位置をずらせて指組状に組み合わされて連結ピンで無端状に連結して形成される。
【００２１】
両面噛合い型サイレントチェーン１を構成する内側リンクプレート２、外側リンクプレート３は、同じサイズで同一形状のリンクプレートで、一対のリンク歯５及び一対のピン孔７を有すると共に、リンク歯５が形成された側と反対側に平坦な背面８を有する。
【００２２】
また、チェーン幅方向最外側に設けられる最外の外側リンクプレート４は、上記内側リンクプレート２、外側リンクプレート３と同じように、一対のリンク歯５、一対のピン孔７、平坦な背面９を有するが、この背面９は、リンクプレート２，３に比較して高く形成され、リンクプレートの背面高さ、すなわちリンク中央部１０における背面高さＨが差ｈだけ高くなっている。なお、この背面高さをどの程度高くするかは、要求される強度やリンクプレートの噛合い形態により決定される。
【００２３】
ここで、リンクプレートのリンク中央部１０というのは、一対のリンク歯の歯底６近辺から背面８，９に至る一対のピン孔７，７間の略々中央部分のことであり、リンクプレートの背面高さＨとは、リンク歯５，５の歯底６と背面８，９との最短離間距離のことであり、リンク中央部１０の背面高さＨと同等である。
【００２４】
図１、図２に示すように、チェーン幅方向の内側寄りには、チェーンの一方表面側にリンク歯５が突出して標準噛合いとなるように、内側リンクプレート２が７枚（奇数枚であればよい）組合わせて設けられる。また、チェーン幅方向の両外側寄りには、チェーンの他方表面側にリンク歯５が突出して背面噛合いとなるように、外側リンクプレート３及び最外の外側リンクプレート４が１枚ずつ合計２枚ずつ（偶数枚であればよい）設けられる。両面噛合い型サイレントチェーン１は、このような組合わせで配置されたリンクプレート２，３，４がチェーン長手方向に交互に位置をずらせて指組状に組合わされて連結ピン１１で連結されて形成される。
【００２５】
また、チェーン幅方向の両外側寄りに設けられている最外の外側リンクプレート４のピン孔７には、連結ピン１１が圧入、加締め等により嵌合固着される。そして、前記のように、この最外の外側リンクプレート４は、図２に示す如く、内側リンクプレート２や外側リンクプレート３に比較して、リンクプレートの背面高さ、すなわちリンク中央部１０の背面高さＨが差ｈだけ高く形成されている。なお、内側リンクプレート２及び外側リンクプレート３のピン孔７には連結ピン１１が遊嵌される。
【００２６】
ところで、サイレントチェーンのリンクプレートには、外側歯面着座型リンクプレート、内側歯面着座型リンクプレート等着座タイプの異なるものがある。ここで、これら着座型リンクプレートについて、便宜的に上記の内側リンクプレート２に付した符号と同じ符号を付して以下説明する。走行するサイレントチェーンがスプロケットに噛合ってゆくとき、噛合い開始部では完全に噛合っていないが、噛合い開始後徐々にリンクプレートのリンク歯の内側歯面（歯底と歯先との間の内側フランク）とスプロケット歯の歯面、あるいは外側歯面（外側フランク）とスプロケット歯の歯面が摺動接触しつつ相対移動して噛合いが進行し、完全に噛合って着座状態となり、次いで、スプロケットの回転に伴い噛合いが徐々に外れて噛外れ部で外れる。この着座状態はスプロケット歯の歯面形状あるいはリンク歯の歯面形状によって異なる。
【００２７】
図５には、外側歯面着座型リンクプレートを示し、リンク歯５とスプロケット歯Ｔとの相対移動がない状態で、リンク歯５の両外側歯面５ａ、５ａのみがスプロケット歯Ｔの歯面に接触して完全に噛合って着座する。図６には、内側歯面着座型リンクプレートを示し、リンク歯５とスプロケット歯Ｔとの相対移動がない状態で、リンク歯５の両内側歯面５ｂ、５ｂのみがスプロケット歯Ｔの歯面に接触して完全に噛合って着座する。
【００２８】
また、サイレントチェーンとスプロケットとの噛合い開始時に、リンク歯の歯面がスプロケットの歯面に最初に当る状態により、「内側歯面当り」と「外側歯面当り」の２つのタイプに分けられる。「内側歯面当り」というのは、噛合い開始時にリンク歯の内側歯面がスプロケット歯の歯面にまず最初に当る状態にリンク歯が形成されているということであり、「外側歯面当り」というのは、噛合い開始時にリンク歯の外側歯面がスプロケット歯の歯面にまず最初に当る状態にリンク歯が形成されているということである。いずれの歯当り状態のリンクプレートも噛合い開始後は、噛合いが進行するに従い、走行するリンクプレートの内側歯面、外側歯面が回転するスプロケットの複数スプロケット歯の歯面に順次接触摺動して上記の着座状態となる。
【００２９】
上記のように構成されている両面噛合い型サイレントチェーン１がスプロケットに捲回されている場合、内側リンクプレート２、外側リンクプレート３，最外の外側リンクプレート４は、前記従来例の説明で示した図９〜図１１の態様でスプロケット歯と噛合う。外側リンクプレート３及び最外の外側リンクプレート４が噛合うスプロケットとしては、図１２に示すような、幅方向両側に歯５９を有するスプロケット５８が使用される。
【００３０】
この実施例１では、内側リンクプレート２として、背面高さが特に高くなく、内側歯面当たり、外側歯面着座型のリンクプレートを用いる。外側リンクプレート３として、内側リンクプレート２と同じ背面高さで、内側歯面当たり、外側歯面着座型のリンクプレートを用いる。最外の外側リンクプレート４として、背面高さが内側リンクプレートより高く形成され、内側歯面当たり、外側歯面着座型のリンクプレートを用いる。
【００３１】
上記構成からなる両面噛合い型サイレントチェーン１の作用効果は次のとおりである。ピン孔７に連結ピン１１が嵌合固着され最外の外側リンクプレート４の背面高さをＨ＋ｈのように差ｈだけ高くすることにより、リンク中央部１０の強度を向上させ、リンクプレートの剛性を向上させ、スプロケットとの噛み合い時のリンクプレートの変形を抑制することができ、その結果、両面噛合い型サイレントチェーン１の回転疲労強度の向上を図ることができる。
【００３２】
この実施例１において、外側リンクプレート３及び最外の外側リンクプレート４としては、内側歯面当たり、外側歯面着座型のリンクプレートを用いているが、内側歯面当たり、内側歯面着座型リンクプレートを用いてもよく、要するに、最外の外側リンクプレートだけが、その背面高さを高く形成したものであればよい。また、内側リンクプレート２としては、歯当り状態が内側歯面当たり、外側歯面当りのもの、着座タイプが外側歯面着座型、内側歯面着座型のもの等いずれの組合わせのリンクプレートを用いても構わない。
【００３３】
実施例２を図３に基づいて説明する。両面噛合い型サイレントチェーン２１は、前記実施例１のものと最外の外側リンクプレートの内側に設けられている外側リンクプレートもリンクプレートの背面高さが高く形成されている点でのみ異なり、他の構成は同じである。以下、実施例２、実施例３については、実施例１と共通する部分、部品等には必要に応じて適宜同一符号を付して説明する。
【００３４】
両面噛合い型サイレントチェーン２１を構成する内側リンクプレート２は実施例１と共通のものであり、背面高さが特に高くなく、内側歯面当たり、外側歯面着座型のリンクプレートを用いる。外側リンクプレート２２と最外の外側リンクプレート２４とは、同じサイズで同一形状のリンクプレートで、一対のリンク歯５及び一対のピン孔７を有すると共に、リンク歯５が形成された側と反対側に平坦な背面２３，２５を有する。
【００３５】
チェーン幅方向外側寄りに設けられる上記の外側リンクプレート２２及び最外の外側リンクプレート２４は、平坦な背面２３，２５が内側リンクプレート２に比較して高く形成され、リンク中央部における背面高さがＨ＋ｈのように差ｈだけ高くなっている。ここでは、外側リンクプレート２２及び最外の外側リンクプレート２４として、内側歯面当たり、外側歯面着座型リンクプレートを用いる。
【００３６】
チェーン幅方向の内側寄りには、チェーンの一方表面側にリンク歯５が突出するように内側リンクプレート２が設けられる。また、チェーン幅方向の両外側寄りには、チェーンの他方表面側にリンク歯５が突出するように外側リンクプレート２２及び最外の外側リンクプレート２４が設けられる。両面噛合い型サイレントチェーン２１は、このような組合わせで配置されたリンクプレート２，２３，２５がチェーン長手方向に交互に位置をずらせて指組状に組合わされて連結ピン１１で連結されて形成される。
【００３７】
この場合、外側リンクプレート２２及び最外の外側リンクプレート２４として、内側歯面当たり、外側歯面着座型リンクプレートを用いるのが好ましいが、内側歯面当たり、内側歯面着座型リンクプレートを用いても構わない。また、内側リンクプレート２としては、歯当り状態が内側歯面当たり、外側歯面当りのもの、着座タイプが外側歯面着座型、内側歯面着座型のもの等いずれの組合わせのリンクプレートを用いても構わない。
【００３８】
上記構成からなる両面噛合い型サイレントチェーン２１は、外側リンクプレート２２及び最外の外側リンクプレート２４の背面高さをＨ＋ｈのように差ｈだけ高くしたので、これらリンクプレート２２，２５のリンク中央部の強度を向上させ、リンクプレートの剛性を向上させ、スプロケットとの噛み合い時のリンクプレート２２，２５の変形を抑制することができ、その結果、両面噛合い型サイレントチェーンの回転疲労強度の向上を図ることができる。また、外側リンクプレート２２及び最外の外側リンクプレート２４の背面２３，２５をシューと接触させる場合には、背面２３，２５が共に当たって接触面積が増加し、シューの摩耗低減を図ることができる。
【００３９】
実施例３を図４に基づいて説明する。両面噛合い型サイレントチェーン３１は、前記実施例１のものと最外の外側リンクプレートの内側に設けられている外側リンクプレートも背面高さが高く形成されている点、及び外側リンクプレート及び最外の外側リンクプレートが外側歯面当りで、外側歯面着座型リンクプレートである点で異なり、他の構成は同じである。
【００４０】
両面噛合い型サイレントチェーン３１を構成する内側リンクプレート２は実施例１と共通のものであり、背面高さが特に高くなく、内側歯面当たり、外側歯面着座型のリンクプレートを用いる。外側リンクプレート３２及び最外の外側リンクプレート３４は、同じサイズで同一形状のリンクプレートで、一対のリンク歯３６及び一対のピン孔７を有すると共に、リンク歯３６が形成された側と反対側に平坦な背面３３，３５を有する。
【００４１】
また、チェーン幅方向外側寄りに設けられる外側リンクプレート３２及び最外の外側リンクプレート３４は、平坦な背面３３，３５が内側リンクプレート２に比較して高く形成され、リンク中央部における背面高さがＨ＋ｈのように差ｈだけ高くなっている。
【００４２】
チェーン幅方向の内側寄りには、チェーンの一方表面側にリンク歯５が突出するように内側リンクプレート２が設けられる。また、チェーン幅方向の両外側寄りには、チェーンの他方表面側にリンク歯３６が突出するように外側リンクプレート３２及び最外の外側リンクプレート３４が設けられる。両面噛合い型サイレントチェーン３１は、このような組合わせで配置されたリンクプレート２，３２，３４がチェーン長手方向に交互に位置をずらせて指組状に組合わされて連結ピン１１で連結されて形成される。
【００４３】
この両面噛合い型サイレントチェーン３１を構成する外側リンクプレート３２及び最外の外側リンクプレート３４は、リンク歯の歯面が外側歯面当り、外側歯面着座型のリンクプレートである。
【００４４】
また、内側リンクプレート２としては、歯当り状態が内側歯面当たり、外側歯面当りのもの、着座タイプが外側歯面着座型、内側歯面着座型のもの等いずれの組合わせのリンクプレートを用いても構わない。
【００４５】
上記構成からなる両面噛合い型サイレントチェーン３１は、外側リンクプレート３２及び最外の外側リンクプレート３４の背面高さをＨ＋ｈのように差ｈだけ高くしたので、これらリンクプレート３２，３４のリンク中央部の強度を向上させ、リンクプレートの剛性を向上させ、スプロケットとの噛み合い時のリンクプレート３２，３４の変形を抑制することができる。
また、外側リンクプレート３２及び最外の外側リンクプレート３４は、リンク歯の歯面が外側歯面当り、外側歯面着座型のリンクプレートであるため、リンク歯の内側歯面がスプロケット歯に接触せず、リンク中央部に掛かる負荷を軽減できる。その結果、両面噛合い型サイレントチェーンの回転疲労強度のさらなる向上を図ることができる。
【００４６】
以上、実施例１〜３について説明したが、両面噛合い型サイレントチェーンの回転疲労強度比較試験を行なった結果、図１３にグラフで示す結果が得られた。従来例、実施例１〜３の両面噛合い型サイレントチェーンとして、比較試験に用いたリンクプレートは、表１のとおりである。
【００４７】
【表１】
2006002811.tif 000003
【００４８】
図１３に示すように、両面噛合い型サイレントチェーンの回転疲労強度が、従来例に比較して、実施例１のものは２２％、実施例２のものは２８％、実施例３のものは３３％向上している。
【００４９】
上記実施例１〜３において、連結ピンの摩耗を低減するように、Ｃｒ、Ｖ、Ｔｉ、Ｎｂ、Ｗなどの硬質金属炭化物からなる特殊表面処理が施されていることが好ましい。なお、上記実施例１〜３において、チェーンの幅方向の内側寄りでは、チェーンの一方表面側（例えば、内表面側）にリンク歯が突出するようにし、チェーンの幅方向の両外側寄りでは、チェーンの他方表面側（外表面側）にリンク歯が突出するようにした両面噛合い型サイレントチェーンについて説明したが、両面噛合い型サイレントチェーンの使用態様によって、チェーンの一方表面側（内表面側）が他方表面側（外表面側）に、他方表面側（外表面側）が一方表面側（内表面側）になるようにして表裏逆に使用されることもある。この場合は、チェーンの幅方向の内側寄りでは、チェーンの他方表面側（外表面側）に、チェーンの幅方向の両外側寄りでは、チェーンの一方表面側（内表面側）にリンク歯が突出することになる。
【００５０】
上記実施例１〜３において、連結ピンの摩耗を低減するように、Ｃｒ、Ｖ、Ｔｉ、Ｎｂ、Ｗなどの硬質金属炭化物からなる特殊表面処理が施されていることが好ましい。なお、上記実施例１〜３において、チェーンの幅方向の内側寄りでは、チェーンの一方表面側（例えば、内表面側）にリンク歯が突出するようにし、チェーンの幅方向の両外側寄りでは、チェーンの他方表面側（外表面側）にリンク歯が突出するようにした両面噛合い型サイレントチェーンについて説明したが、両面噛合い型サイレントチェーンの使用態様によって、表裏逆に使用されることもある。この場合は、チェーンの幅方向の内側寄りでは他方表面側（外表面側）に、チェーンの幅方向の両外側寄りでは一方表面側（内表面側）にリンク歯が突出することになる。
【図面の簡単な説明】
【００５１】
【図１】本発明実施例１の両面噛合い型サイレントチェーンの一部を示す平面図である。
【図２】同上、両面噛合い型サイレントチェーンの要部を分解して示す側面図である。
【図３】実施例２の両面噛合い型サイレントチェーンの要部を分解して示す側面図である。
【図４】実施例３の両面噛合い型サイレントチェーンの要部を分解して示した側面図である。
【図５】外側歯面着座型リンクプレートの説明図である。
【図６】内側歯面着座型リンクプレートの説明図である。
【図７】従来の両面噛合い型サイレントチェーンの一部を示す平面図である。
【図８】同上、両面噛合い型サイレントチェーンの要部を分解して示す側面図である。
【図９】図８の矢印Ａ近傍の外側リンクプレートの噛合状態を示す断面図である。
【図１０】図８の矢印Ｂ近傍の外側リンクプレートの噛合状態を示す断面図である。
【図１１】内側リンクプレートの噛合状態を示す断面図である。
【図１２】外側リンクプレートが噛合うスプロケットの一部切欠断面の斜視図である。
【図１３】回転疲労強度の比較試験結果を示すグラフである。
【符号の説明】
【００５２】
１，２１，３１  両面噛合い型サイレントチェーン
２    内側リンクプレート
３    外側リンクプレート
４    最外の外側リンクプレート
５    リンク歯
５ａ  外側歯面
５ｂ  内側歯面
６    歯底
７    ピン孔
８，９  背面
１０  リンク中央部
１１  連結ピン
２２  外側リンクプレート
２４  最外の外側リンクプレート
２３，２５  背面
３２  外側リンクプレート
３４  最外の外側リンクプレート
３３，３５  背面
３６  リンク歯
【図１】
2006002811.tif 000004
【図２】
2006002811.tif 000005
【図３】
2006002811.tif 000006
【図４】
2006002811.tif 000007
【図５】
2006002811.tif 000008
【図６】
2006002811.tif 000009
【図７】
2006002811.tif 000010
【図８】
2006002811.tif 000011
【図９】
2006002811.tif 000012
【図１０】
2006002811.tif 000013
【図１１】
2006002811.tif 000014
【図１２】
2006002811.tif 000015
【図１３】
2006002811.tif 000016